(57)【特許請求の範囲】
【請求項１】
複数のスイッチにそれぞれ対応する識別子が対応付けられた複数の光源と、
上記複数のスイッチの内の或る一つのスイッチの選択操作開始を示す第１刺激と選択操作終了を示す第２刺激を、上記光源を点滅させることによってスイッチ操作者に提示するトリガ発生部と、
上記点滅する光源に対応するスイッチの識別子を脳波スイッチ検出部に送信するトリガ情報送信部と、
を備える脳波スイッチ表示部と、
上記スイッチの識別子を受信するトリガ情報受信部と、
上記第１刺激と上記第２刺激に対する上記スイッチ操作者の脳の電位の変化を観測して随伴陰性変動の発生を検出する脳波計測部と、
随伴陰性変動の発生時の上記スイッチの識別子を出力するスイッチ選択部と、を備える脳波スイッチ検出部と、
で構成される脳波スイッチ制御装置。
【請求項２】
請求項１に記載した脳波スイッチ制御装置において、
上記随伴陰性変動の発生は、上記第１刺激の提示時刻での上記スイッチ操作者の脳の電位を基準電位とし、その基準電位から上記第１刺激の提示時刻以降の各時刻の上記スイッチ操作者の脳の電位を減じた値を振幅として、上記第１刺激の提示時刻から上記第２刺激の提示時刻までの間に上記振幅が負に遷移し、かつ、上記第２刺激の提示時刻から所定の時間内に上記振幅が正に遷移した場合に検出されることを特徴とする脳波スイッチ制御装置。
【請求項３】
請求項２に記載した脳波スイッチ制御装置において、
上記所定の時間は、２００〜４００ミリ秒であることを特徴とする脳波スイッチ制御装置。
【請求項４】
請求項２又は３に記載した脳波スイッチ制御装置において、
上記第１刺激と上記第２刺激との提示時間間隔が２秒以上であり、かつ、或るスイッチに係る上記第２刺激と次の或るスイッチに係る上記第１刺激との提示時間間隔が１秒以上であることを特徴とする脳波スイッチ制御装置。
【請求項５】
請求項１乃至４の何れかに記載した脳波スイッチ制御装置において、
上記脳波スイッチ表示部は、
更に、照度検出部を備え、その照度検出部が所定値以上の照度を検出した場合は上記光源を点灯させる輝度が高められ、所定値以下の照度を検出した場合は上記光源を点灯させる輝度が低められる、ことを特徴とする脳波スイッチ制御装置。
【請求項６】
複数のスイッチの内の或る一つのスイッチの選択操作開始を示す第１刺激と選択操作終了を示す第２刺激を、上記複数のスイッチにそれぞれ対応する複数の光源の点灯若しくは消灯によってスイッチ操作者に提示するトリガ発生ステップと、
上記スイッチの識別子を脳波スイッチ検出部に送信するトリガ情報送信ステップと、
を含む脳波スイッチ表示過程と、
上記スイッチの識別子を受信するトリガ情報受信ステップと、
上記第１刺激と上記第２刺激に対する上記スイッチ操作者の脳の電位の変化を観測して随伴陰性変動の発生を検出する脳波計測ステップと、
随伴陰性変動の発生時の上記スイッチの識別子を出力するスイッチ選択ステップと、を含む脳波スイッチ検出過程と、
を備える脳波スイッチ制御方法。
【請求項７】
請求項６に記載した脳波スイッチ制御方法において、
上記随伴陰性変動の発生は、上記第１刺激の提示時刻での上記スイッチ操作者の脳の電位を基準電位とし、その基準電位から上記第１刺激の提示時刻以降の各時刻の上記スイッチ操作者の脳の電位を減じた値を振幅として、上記第１刺激の提示時刻から上記第２刺激の提示時刻までの間に上記振幅が負に遷移し、かつ、上記第２刺激の提示時刻から所定の時間内に上記振幅が正に遷移した場合に、検出されることを特徴とする脳波スイッチ制御方法。
【請求項８】
請求項７に記載した脳波スイッチ制御方法において、
上記所定の時間は、２００〜４００ミリ秒であることを特徴とする脳波スイッチ制御方法。
【請求項９】
請求項７又は８に記載した脳波スイッチ制御方法において、
上記第１刺激と上記第２刺激との提示間隔が２秒以上であり、かつ、或るスイッチに係る上記第２刺激と次の或るスイッチに係る上記第１刺激との提示間隔が１秒以上であることを特徴とする脳波スイッチ制御方法。
【請求項１０】
請求項６乃至９の何れかに記載した脳波スイッチ制御方法において、
上記脳波スイッチ表示過程は、
更に、照度検出部を備え、その照度検出部が所定値以上の照度を検出した場合は上記光源を点灯させる輝度が高められ、所定値以下の照度を検出した場合は上記光源を点灯させる輝度が低められることを特徴とする脳波スイッチ制御方法。
【発明の詳細な説明】
【技術分野】
【０００１】
この発明は、事象関連電位の１つである随伴陰性変動（Contingent Negative Variation 以降ＣＮＶと称する）を用いて、スイッチ操作者が脳の中で注意選択しているスイッチを特定することにより、実世界のスイッチを操作する脳波スイッチ制御装置とその方法に関する。
【背景技術】
【０００２】
人の脳活動情報を利用したインターフェースとして、ブレインコンピュータ・インターフェース（ＢＣＩ）が提唱されている。脳活動情報としてＣＮＶを利用したスイッチが、例えば、非特許文献１に開示されている。
【０００３】
非特許文献１では、ある刺激（光源の点灯・消灯）に対して、スイッチ操作者がその刺激に集中しているときと、そうでないときの脳波の誘発電位のひとつであるＣＮＶを利用してスイッチのＯＮ/ＯＦＦを切り替えている。
【０００４】
ＣＮＶは、連続する第１刺激と第２刺激に対応して誘導される事象関連電位である。第１刺激と第２刺激は、例えば、光や音等で提示される。具体的には、スイッチ操作者に対し、開始を示す第１刺激を与え、その後、終了を示す第２刺激が与えられるまでの間（この間は予測できないようにする）、集中（注意）が必要な、例えば素早く数を頭の中で数えるなどのタスクを行わせる。すると、図１に示す様なＣＮＶ波形が観測される。図１の横軸は時刻、縦軸は第１刺激提示時点の脳波の電位を基準とした相対的な電位を示す。ここで、マイナス（−）を上側にしているのは脳波電位を示す慣例に従った表記である。
【０００５】
ＣＮＶ波形は、相対的電位が第１刺激提示から第２刺激提示までの間はマイナス（−）方向に穏やかに増加するが、第２刺激提示後はプラス（＋）に転じ大きな谷状の波形を生じる特徴的な形をしている。非特許文献１では、このＣＮＶ波形の有無を計測してスイッチのＯＮ/ＯＦＦを切り替える。
【先行技術文献】
【非特許文献】
【０００６】
【非特許文献１】津田明憲、加藤康弘、米村朋子、寺屋秀紀、前田太郎、安藤英由樹、「隋伴陰性変動を利用した誤作動の無い脳波スイッチの提案」、第１４回日本バーチャルリアリティ学会大会論文集、2009年9月
【発明の概要】
【発明が解決しようとする課題】
【０００７】
非特許文献１に開示された技術は、１つの刺激に対してＣＮＶ波形を計測する技術であり、１個のスイッチのＯＮ/ＯＦＦを可能にしたものに過ぎない。よって、複数のスイッチのＯＮ/ＯＦＦを切り替えることはできない。複数のスイッチとして機能する脳波スイッチを実現するためには、脳波スイッチに対応する非同期に点滅する複数の光源を用意する必要がある。しかし、複数のスイッチとして機能する脳波スイッチを実現する目的で、例えば複数の専用の刺激提示部（例えば光源）を用意することは必ずしも容易ではない。
【０００８】
この発明は、このような課題に鑑みてなされたものであり、専用の刺激提示部を用意することなく複数のスイッチとして機能する脳波スイッチ制御装置とその方法を提供することを目的とする。
【課題を解決するための手段】
【０００９】
この発明の脳波スイッチ制御装置は、脳波スイッチ表示部と脳波スイッチ検出部とで構成される。脳波スイッチ表示部は、複数の光源と、トリガ発生部と、トリガ情報送信部と、を備える。複数の光源は、複数のスイッチにそれぞれ対応する識別子が対応付けられる。トリガ発生部は、複数のスイッチの内の或る一つのスイッチの選択操作開始を示す第１刺激と選択操作終了を示す第２刺激を、光源を点滅させることによってスイッチ操作者に提示する。トリガ情報送信部は、点滅する光源の識別子を脳波スイッチ検出部に送信する。
【００１０】
脳波スイッチ検出部は、トリガ情報受信部と、脳波計測部と、スイッチ選択部と、を備える。トリガ情報受信部は、脳波スイッチ検出部から送信されるスイッチの識別子を受信する。脳波計測部は、第１刺激と第２刺激に対するスイッチ操作者の脳の電位の変化を観測して随伴陰性変動の発生を検出する。スイッチ選択部は、随伴陰性変動の発生時の上記スイッチの識別子を出力する。
【発明の効果】
【００１１】
この発明の脳波スイッチ制御装置は、脳波スイッチ表示部と脳波スイッチ検出部の２つで構成されるので、例えば照明器具等を、脳波スイッチ表示部として利用することを可能にする。つまり、脳波スイッチ表示部が別体なので、例えば、部屋の照明器具等に刺激提示時のスイッチの識別子を送信する機能を持たせれば、脳波スイッチ表示部を専用物にする必要がなくなる。よって、脳波スイッチ表示部が従来よりも容易に実現可能であり、脳波スイッチ制御装置の構成の自由度を向上させることができる。
【図面の簡単な説明】
【００１２】
【図１】ＣＮＶ（随伴陰性変動）波形の例を示す図。
【図２】この発明の脳波スイッチ制御装置１００の機能構成例を示す図。
【図３】光源を点滅させるイメージを示す図であり、（ａ）は第１刺激提示時の光源の点灯、（ｂ）は第１刺激提示時〜第２刺激提示時までの光源の消灯、（ｃ）は第２刺激提示時の光源の点灯を示す。
【図４】脳波スイッチ制御装置１００の動作フローを示す図。
【図５】各スイッチに係る第１、第２刺激提示の時系列の例を示す図。
【図６】脳波スイッチ表示部１０を照明器具と兼用化した例を示す図。
【図７】トリガ発生部７０の機能構成例を示す図。
【図８】脳波スイッチ表示部１０を照明器具と兼用化した他の例を示す図。
【図９】光源の内部にトリガ発生部１２′とトリガ情報送信部１３を集約した例を示す図。
【発明を実施するための形態】
【００１３】
以下、この発明の実施の形態を図面を参照して説明する。複数の図面中同一のものには同じ参照符号を付し、説明は繰り返さない。
【実施例１】
【００１４】
図２にこの発明の脳波スイッチ制御装置１００の機能構成例を示す。脳波スイッチ制御装置１００は、脳波スイッチ表示部１０と、脳波スイッチ検出部２０と、で構成される。脳波スイッチ表示部１０は、複数の光源１１、トリガ発生部１２、トリガ情報送信部１３、を備える。複数の光源１１のそれぞれ１１1，１１2，…，１１Nには、脳波スイッチ制御装置１００の外部に設けられる図示していない複数のスイッチに対応する識別子１〜Ｎが対応付けられている。トリガ発生部１２は、その複数のスイッチの内の或る一つのスイッチの選択開始を示す第１刺激と選択終了を示す第２刺激を、光源１１1，１１2，…，１１Nを点滅させることによってスイッチ操作者１に提示する。トリガ情報送信部１３は、点滅する光源に対応するスイッチの識別子を脳波スイッチ検出部２０に送信する。送信は有線で行ってもよいし、光や電波による無線通信で行ってもよい。
【００１５】
脳波スイッチ検出部２０は、トリガ情報受信部２２、脳波計測部２１、スイッチ選択部２３、を備える。トリガ情報受信部２２は、スイッチの識別子を受信する。脳波計測部２１は、第１刺激と第２刺激に対するスイッチ操作者１の脳の電位の変化を観測してＣＮＶ波形を検出する。スイッチ選択部２３は、ＣＮＶ波形発生時のスイッチの識別子を外部に出力する。
【００１６】
以上説明したように、脳波スイッチ制御装置１００は、ＣＮＶ波形が検出された時のスイッチの識別子を外部に出力する。外部側でその識別子に対応するスイッチをＯＮ/ＯＦＦさせることで、脳波の変化に基づいて現実のスイッチを操作できる。また、脳波スイッチ制御装置１００は、脳波スイッチ表示部１０と脳波スイッチ検出部２０の２つで構成されるので、脳波スイッチ表示部１０を、例えば屋内の照明器具等と兼用させることも可能である。
【００１７】
なお、トリガ情報送信部１３とトリガ情報受信部２２との間の通信は、他の情報を付加して送信するようにしてもよい。例えば、光源の点滅シーケンスを送信するようにしてもよい。例えば、次に光源を点滅させる時刻を脳波スイッチ検出部２０に予め知らせて置くことで、脳波スイッチ検出部２０の各部の機能をそれまで停止させることが可能になり、低消費電力化が図れる。また、刺激提示の時刻が予め分かれば、ＣＮＶ波形の検出精度も高めることができる。
【００１８】
ＣＮＶ波形は、従来技術で説明したものと同じものを利用するが、この発明は、複数のスイッチのＯＮ/ＯＦＦを、ＣＮＶ波形で制御することを特徴とする。図３に複数の光源１１を点滅させるイメージを示して、複数のスイッチを制御する方法を具体的に説明する。
【００１９】
図３は、複数の光源１１を概念的に示したものであり、スイッチの識別子ｉが例えば１〜９のスイッチに対応付けられている例を示す。図３では表記が煩雑になるのを避けるために一部の参照符号（１１1，１１９）のみを表記している。光源１１1，１１2，…，１１9には、複数のスイッチに対応付けられている識別子ｉの番号１〜９が表示されている。なお、光源１１1，１１2，…，１１9のそれぞれに直接番号を表記する必要はない。各光源とスイッチとの関係を、スイッチ操作者が認識できていればその番号の表示は省略してもよい。
【００２０】
例えば、スイッチ６のＯＮ/ＯＦＦを制御したい場合には、光源１１6を点滅させる。その場合、まずスイッチの選択操作開始を示す第１刺激提示として光源１１6を点灯させる（図３（ａ））。点灯を、光源１１6を黒く表記することで表現している。この時、点滅のコントラストが強い方がＣＮＶ波形の発生が良好なので、フラッシュのように閃光させると好ましい。
【００２１】
そして、図３（ｂ）に示すようにしばらくの間光源１１6を消灯した後に、スイッチ選択操作終了を示す第２刺激提示として図３（ｃ）に示すように再び光源１１6を点灯させる。なお、第１刺激と第２刺激は必ずしも同じ種類の刺激でなくてもよい。例えば第１刺激が音、第２刺激が光というように異なる種類の刺激を与える方法でも構わない。
【００２２】
次に、図４に脳波スイッチ制御装置１００の動作フローを示して更に詳しくその動作を説明する。図４は、スイッチの識別子ｉを１，２，…と順番に遷移させて刺激を提示する例を示す。脳波スイッチ制御装置１００が動作を開始すると、トリガ発生部１２はスイッチの識別子ｉを初期化（ｉ＝１）し、スイッチの識別子ｉをトリガ情報送信部１３に出力する（ステップＳ１２１）。
【００２３】
トリガ情報送信部１３は、スイッチの識別子ｉを脳波スイッチ検出部２１に送信する（ステップＳ１３）。そして、トリガ発生部１２は、スイッチの識別子ｉ＝１に対応する複数の光源１１内の光源１１1を、第１刺激提示と第２刺激提示によって点滅させる（ステップＳ１２２）。
【００２４】
一方、この脳波スイッチ表示過程と並行して脳波スイッチ検出部２０側では、次の脳波スイッチ検出過程を実行する。トリガ情報受信部２２は、脳波スイッチ表示部１０側から送信されて来るスイッチの識別子ｉを受信する（ステップＳ２２）。
【００２５】
脳波計測部２１は、電極２（図２参照）を介してスイッチ操作者１の脳の電位を一定のサンプリング間隔（例えば２〜１０ｋＨｚ）で計測し、スイッチ選択部２３に出力する（ステップＳ２１）。なお、電極２の装着方法は、ＣＮＶ波形を観測し得る方法であれば如何なる方法を採用しても構わない。図２の例では、マイナスの導出電極２ａ，２ｂ，２ｃを頭頂部に、プラスの基準電極２ｄを両耳たぶに、ボディーアース２ｅを額に、眼球運動によるアーチファクトの影響を補正するための電極２ｆを眼窩上縁に、それぞれ装着している。
【００２６】
スイッチ選択部２３は、第１刺激提示時点でのスイッチ操作者１の脳の電位を基準電位として、基準電位から第１刺激提示以降の各時刻の脳の電位を減じた値を振幅として、第１刺激提示時刻から第２刺激提示時刻の間は振幅が負に遷移し、かつ、第２刺激提示時刻から２００〜４００ミリ秒の間に振幅が正に遷移した場合に、ＣＮＶ波形が発生したと判定（ステップＳ２３１のＹｅｓ）する。ＣＮＶ波形が発生した時、スイッチ選択部２３はトリガ情報受信部２２が受信したスイッチの識別子ｉを外部に出力する（ステップＳ２３２）。
【００２７】
ＣＮＶ波形は、スイッチ操作者１が第１刺激と第２刺激に集中していないと発生しない。よって、スイッチ操作者１は、操作したいスイッチの識別番号に対応する複数の光源１１の内の一つに対して第１刺激提示があった後に、例えば、素早く数を暗算する作業を開始し、第２刺激提示時刻でその暗算を終了する作業をすることで、複数のスイッチを選択的にＯＮ/ＯＦＦすることができる。操作を希望しないスイッチの識別番号に対応する光源に対しては、スイッチ操作者１がその光源に集中しなければＣＮＶ波形が発生しない。
【００２８】
ＣＮＶ波形を観測する上で、或るスイッチに係る第１刺激と第２刺激との提示時間間隔は、第１刺激提示に対する脳波の反応が現れるのが２００〜３００ミリ秒後であることから、その後の脳波の変化を正確に把握するために２秒以上とることが望ましい。また、各スイッチごとの刺激を区別する上で、或るスイッチに係る第２刺激と次の或るスイッチに係る第１刺激との提示時間間隔は、経験的に１秒以上とることが望ましい。
【００２９】
ＣＮＶ波形が観測されなかった場合には、その旨がスイッチ選択部２３からトリガ発生部１２に伝達され、トリガ発生部１２はスイッチの識別子ｉをインクリメント（ｉ＝ｉ＋１）する（ステップＳ１２３）。そして、スイッチの識別子ｉがスイッチ選択部２３から出力されるまで、上記した処理を繰り返す。
【００３０】
なお、スイッチの識別子ｉを、１，２，…と順番に遷移させる例で説明を行ったが、第１・第２刺激を提示する順番を順不動に制御するようにしてもよい。図５にその例を示す。図５に示す例は、識別子ｉを３→１→６→２と変化させた場合を示す。また、第１刺激提示時刻（黒矢印）と第２刺激提示時刻（白矢印）と間の時間を、識別子ｉに対応させて可変させるようにしてもよい。第１刺激提示時刻（黒矢印）〜第２刺激提示時刻（白矢印）の間の時間を識別子ｉに対応させて変化させることで、その時間間隔に対応するＣＮＶ波形も変化するので、脳波スイッチ表示部１０から脳波スイッチ検出部２０にスイッチの識別子ｉを送信しなくても良くなる。その分、脳波スイッチ制御装置１００を簡略化することができる。ただし、その時間は２〜５秒の範囲で可変するのが好ましい。５秒以上になるとスイッチ操作者１の眼球の瞬きが発生し易くなりＣＮＶ波形が計測不能になるためである。
【００３１】
〔変形例〕
なお、ＣＮＶ波形は光源の点滅のコントラストが高いほど、観測が容易になる傾向がある。したがって、光源を点灯させる時の輝度は高い方が好ましい。ただ、周囲が暗い（照度が低い）状況で、輝度を高くすると目の健康に悪影響を与える可能性がある。そこで、図２に破線で示すように、脈波スイッチ表示部１０に照度検出部１４を設け、周囲の照度に応じて光源の輝度を可変するようにしてもよい。光源の輝度は、光源を例えばＬＥＤ照明で構成した場合、その駆動電流を可変することで容易に制御することができる。
【００３２】
照度検出部１４は、周囲の照度を検出し、その照度が所定値以上の場合は第１刺激提示時と第２刺激提示時の光源の点灯時の輝度を高く、所定値以下の場合は輝度を低くするようにトリガ発生部１２を制御する信号を、トリガ発生部１２に出力する。照度検出部１４は、光源から直接光が入射しないように照度検出部１４の周囲に遮光板を設ける。照度検出部１４の回りに遮光板を配置することで、周辺の照度のみを検出することが可能である。照度検出部１４は、一般的なＣＤＳ（硫化カドミウム）センサや他の半導体センサを用いて公知の技術で容易に実現できる。その具体例を示した説明は省略する。
【００３３】
〔脳波スイッチ表示部の具体例〕
この発明の脳波スイッチ制御装置１００の脳波スイッチ表示部１０は、屋内の照明器具等と兼用化することが可能である。図６に、部屋の天井に配置する照明器具を脳波スイッチ表示部１０として利用した例を示す。この例の場合、光源の数は９個であり、各光源１１1〜１１9は、周知の電球、瞬時点灯方式の蛍光灯、ＬＥＤ照明、などで構成する。それぞれの光源にはスイッチの識別子ｉが割り当てられている。
【００３４】
脳波スイッチ表示部１０をこのように実現した場合、昼間は光源を選択的に点灯することで第１刺激と第２刺激を提示する。夜間は、部屋を照明するために光源は常時点灯状態である。その場合は、例えば常時６個の光源を点灯状態にして置き、例えば光源１１1〜１１3を消灯状態で他を点灯、光源１１4〜１１6を消灯状態で他を点灯、光源１１7〜１１9を消灯状態で他を点灯、にすることで部屋の平均的な明るさ（照度）を一定にする。その状態において、消灯している光源を選択的に点灯させることで第１刺激と第２刺激を提示する。このような複数の光源１１の制御は、例えばトリガ発生部７０で行うことが可能である。
【００３５】
トリガ発生部７０は、平均照度保障部７１と、第１・第２刺激発生部７２を備える。平均照度保障部７１は、複数の光源１１の内の点灯させる組と、消灯させる組を、その光源の組み合わせを変化させながら所定周波数以上の速さで切り替えて、複数の光源１１の照度を一定に保障する。所定周波数は、人が光のちらつきを感じなくなる２０Ｈｚ以上に設定される。
【００３６】
第１・第２刺激発生部７２は、平均照度保障部７１から消灯させる光源の組の情報を入手して、その消灯している光源の中の一つの光源を第１刺激と第２刺激で点灯させ、その識別子ｉをトリガ情報送信部１３に出力する。
【００３７】
または、複数の光源１１の全ての光源を常時点灯状態として何れかの光源の輝度を、選択的に高めて第１・第２刺激を提示させるようにしてもよい。この場合、トリガ発生部１２は、複数の光源１１の全ての光源を常時一定の輝度で点灯する。
【００３８】
図８に、壁に装着するスポットライトを脳波スイッチ表示部１０′とした例を示す。また、図示は省略するが机上に配置するスタンドと兼用化してもよい。このように脳波スイッチ表示部は、様々な形態が考えられる。
【実施例２】
【００３９】
脳波スイッチ表示部１０の機能を、各光源に集約しても良い。図９に一つの光源１１1′に脳波スイッチ表示部１０の機能を集約した機能構成例を示す。光源１１1′は、トリガ発生部１２′、トリガ情報送信部１３、隣接光監視部９０、照度検出部１４、刺激発生部９２、を具備する。
【００４０】
トリガ情報送信部１３と照度検出部１４は、上記した実施例１と全く同じものである。隣接光監視部９０は、隣接する光源の隣接光を検出してその発光状態情報をトリガ発生部１２′に出力する。発光状態情報とは、隣接する光源が点灯しているのか否か、及び第１・第２刺激提示状態にあるか否かを表す情報であり、隣接する光源の発する輝度を測定することで得られる。ここで輝度とは、「ある点からどれだけの光が発せられているか」を表す量であり、照度「ある面に入って来る光の総量」とは異なる物理量である。
【００４１】
隣接光監視部９０を設けることで、同じ構成の他の光源１１＊′（＊は何れかの光源を意味する）の発光状態を監視することで、第１・第２刺激提示が同期しないようにトリガ発生部１２′自らを制御する。隣接光監視部９０によって、たとえば蛍のように近隣の光の点灯の有無をみて自らの点灯を遅延させる等の制御を可能にする。
【００４２】
このような光源１１＊′を複数用いることで脳波スイッチ表示部１０を、より自由度を高めて構成することができる。この場合、トリガ情報送信部１３が脳波スイッチ検出部２０にスイッチの識別子ｉを送信するのは有線で送信してもよいが、光や電波による無線通信で送信するのが好適である。
【００４３】
以上述べたように、この発明の脳波スイッチ制御装置とその方法は、複数のスイッチのＯＮ/ＯＦＦを脳波信号によって制御することを可能にする。よってこの装置を、例えばＡＬＳ症などにより脳機能を維持した状態で全身不随となった人や、肢体不自由者などの方々の意思の伝達に用いることができる。また、脳波スイッチ表示部を部屋の照明器具等と兼用化することも可能なので、専用の脳波スイッチ表示部を別に設ける必要がないので、脳波スイッチ制御装置の構成の自由度を向上させる。
【図１】
0005458268.tif 000002
【図２】
0005458268.tif 000003
【図３】
0005458268.tif 000004
【図４】
0005458268.tif 000005
【図５】
0005458268.tif 000006
【図６】
0005458268.tif 000007
【図７】
0005458268.tif 000008
【図８】
0005458268.tif 000009
【図９】
0005458268.tif 000010